(57)【要約】【目的】所望の長さを保持でき、しかも簡易構造にして伸縮操作を容易に行え得る伸縮棒を提供する。【構成】所定の長さを有する外筒１、その内側に挿入される可動軸２、並びに外筒１及び可動軸２の軸方向への相対移動を規制するロック手段５とを備えた伸縮棒である。ロック手段５は、外筒１の外周部に固設される受座６と該受座に嵌合する保持具７とで構成され、その保持具７は可動軸２の軸方向に移動可能に設けられる。又、受座６の外周にはテーパ部６Ａが形成されると共に、保持具７にはテーパ部６Ａを受け入れるテーパ穴７Ｂが形成される。そして、受座６と保持具７との嵌合時に、テーパ部６Ａとテーパ穴７Ｂとが相対的に偏心してテーパ部６Ａがテーパ穴７Ｂに内接し、これにより保持具７が可動軸２を半径方向に加圧してその外面部２Ａを外筒の内壁１Ａに圧接せしめる。【選択図】　図２
2004019775.tif 000002
【特許請求の範囲】
【請求項１】
外筒及び該外筒内に挿入される可動軸と、前記外筒及び可動軸の軸方向への相対移動を規制するロック手段とを備えた伸縮棒において、前記ロック手段は外筒の一端外周部に嵌合する保持具を有し、その保持具は前記可動軸の軸方向に移動可能に設けられて前記外筒の一端外周部との嵌合時に可動軸の外面部を外筒の内壁に圧接せしめることを特徴とする伸縮棒。
【請求項２】
外筒及び該外筒内に挿入される可動軸と、前記外筒及び可動軸の軸方向への相対移動を規制するロック手段とを備えた伸縮棒において、前記ロック手段は外筒の外周部に固設される受座と該受座に嵌合する保持具とを有し、その保持具は前記可動軸の軸方向に移動可能に設けられて前記受座との嵌合時に可動軸の外面部を外筒の内壁に圧接せしめることを特徴とする伸縮棒。
【請求項３】
受座と保持具の何れか一方が外周にテーパ部を有すると共に他方には前記テーパ部を受け入れるテーパ穴が形成され、そのテーパ部とテーパ穴とが相対的に偏心して前記テーパ部がテーパ穴に内接するようにして成る請求項２記載の伸縮棒。
【発明の詳細な説明】
【０００１】
【発明の属する技術分野】
本発明は園芸用の支柱などとして用いられる可変長の伸縮棒に係わり、詳細には所望の長さにして其の状態を確実に保持でき、しかも簡易構造にして伸縮操作を容易に行えるようにした伸縮棒に関する。
【０００２】
【従来の技術】
従来、可変長の伸縮棒として、例えばラジオの受信アンテナのように口径の異なるパイプをその各下端に固定されるスライド金具を介して順次嵌合せしめたものが知られる。又、２つのパイプを嵌合し、その内外何れか一方のパイプに一つの穴を穿設すると共に、他方のパイプの長手方向に沿って複数の穴を等間隔に穿設し、その内外パイプの穴に外部からピンを差し込み得るようにしたものが知られる。
【０００３】
然し、前者の伸縮棒はパイプ同士を固定する手段を有しないので、僅かな軸力が作用するだけで伸縮する。このため、軸力を受ける支柱などに適用することはできない。
【０００４】
一方、後者の伸縮棒は内外のパイプをピンにて相対的に固定することができるものの、その長さは一方のパイプに穿設した穴の間隔でしか調整できず、しかもピンの挿入に際して内外のパイプの穴を合致させることが難しく、その作業に手間取るという難点があった。
【０００５】
そこで、図１０のようにパイプＰ１の一端に内側のパイプＰ２を通すための穴ｈ１があけられた枠Ｃを取り付け、その枠ＣにパイプＰ２の通し穴ｈ２をもつレバーＬを揺動自在にして取り付け、そのレバーＬと枠Ｃの上部との間に圧縮バネＳを介在せしめて成る伸縮棒が一般に広く利用されている。この種の伸縮棒によれば、圧縮バネＳの押圧力でレバーＬがパイプＰ２に対して傾斜されるために、パイプＰ２の外面部が図１１に示すよう通し穴ｈ２の２点が支持され、これによってパイプＰ２の軸方向への移動が規制されるようになっている。
【０００６】
【発明が解決しようとする課題】
然し乍ら、図１０のような伸縮棒は構造が複雑でコスト高になり、しかも圧縮バネＳの押圧力がレバーＬの支点側に偏重するため、パイプＰ２の外面部に穴ｈ２の縁が強力に密着せず、パイプＰ２が使用中に上方からの荷重を受けて下方にずり落ちてしまうことがあった。尚、パイプＰ２の保持力を上げるために弾性の強い圧縮バネＳを使用すると、ロック解除をすべくレバーＬの先端を上方に押し上げることが困難になるという問題があった。
【０００７】
本発明は以上のような事情に鑑みて成されたものであり、その目的は所望の長さを保持でき、しかも簡易構造にして伸縮操作を容易に行え得る伸縮棒を提供することにある。
【０００８】
【課題を解決するための手段】
本発明は上記目的を達成するため、外筒及び該外筒内に挿入される可動軸と、前記外筒及び可動軸の軸方向への相対移動を規制するロック手段とを備えた伸縮棒において、前記ロック手段は外筒の一端外周部に嵌合する保持具を有し、その保持具は前記可動軸の軸方向に移動可能に設けられて前記外筒の一端外周部との嵌合時に可動軸の外面部を外筒の内壁に圧接せしめることを特徴とする。
【０００９】
又、外筒及び該外筒内に挿入される可動軸と、前記外筒及び可動軸の軸方向への相対移動を規制するロック手段とを備えた伸縮棒において、前記ロック手段は外筒の外周部に固設される受座と該受座に嵌合する保持具とを有し、その保持具は前記可動軸の軸方向に移動可能に設けられて前記受座との嵌合時に可動軸の外面部を外筒の内壁に圧接せしめることを特徴とし、好ましくは受座と保持具の何れか一方が外周にテーパ部を有すると共に他方には前記テーパ部を受け入れるテーパ穴が形成され、そのテーパ部とテーパ穴とが相対的に偏心して前記テーパ部がテーパ穴に内接するようにして成ることを特徴とする。
【００１０】
【発明の実施の形態】
以下、本発明の適用例を図面に基づいて詳細に説明する。先ず、図１は本発明に係る伸縮棒の使用例を示す。図１において、１は所定の長さを有する外筒、２は外筒内に挿入される円筒状の可動軸であり、この可動軸２は外筒１と同程度の長さを有すると共に、その外径が外筒１の内径より稍小さく設定されて軸方向に移動可能とされる。このうち、外筒１は下段側に位置してその下端に石突き３が取り付けられる一方、可動軸２は外筒１の上方に伸長されてその上端にＹ字形のブラケット４が取り付けられる。又、外筒１と可動軸２との間には軸方向への相対移動を規制するロック手段５が介在される。そして、係る伸縮棒によれば、例えば枝受け支柱として、ブラケット４で果樹の枝Ｅを挟んだ状態で地面との間に立てられ、果実の重みよる枝Ｅの垂れ下がりを防止することができる。特に、枝Ｅの高さに応じて全長を調整し、その長さをロック手段５により保持することができる。
【００１１】
図２は同伸縮棒を部分的に破断して示した部分断面図である。この図で明らかなように、ロック手段５は互いに嵌合する受座６と保持具７とで構成される。本例において、受座６は外筒１の上方の一端外周部に同心状に嵌着されるスリーブで成り、その一端外周には保持具７側に向かって外径が漸次小さくなるテーパ部６Ａが形成される。尚、図３は受座を拡大して示した平面図であり、図４には図３におけるＸ−Ｘ線断面を示す。これらの図で明らかなように、受座６の内側には外筒１を嵌め込む大径穴６Ｂほか、その大径穴６Ｂに嵌め込まれた外筒１の内径に合致する小径穴６Ｃが形成される。
【００１２】
一方、図２において、保持具７は可動軸２の外側に設けられる円環状の部品で成り、これは可動軸２を通す円形の穴７Ａが可動軸２の外径より０．１〜１ｍｍ程度大きく設定されて可動軸２の軸方向に移動可能とされている。又、保持具７の内側には可動軸を通す穴７Ａほか、その穴７Ａから受座６側に向かって口径が漸次広がるテーパ穴７Ｂが形成される。尚、図５は保持具を拡大して示した底面図であり、図６には図５におけるＸ−Ｘ線断面を示す。これらの図で明らかなように、穴７Ａは保持具７の中心に形成される一方、テーパ穴７Ｂは穴７Ａの半径方向に１〜２ｍｍ程度偏心して形成される。よって、保持具７自体は可動軸２の外周に同心状に設けられるが、テーパ穴７Ｂは可動軸２、外筒１、並びに受座のテーパ部６Ａに対して偏心状を成す。
【００１３】
そして、係るロック手段５によれば、保持具７を受座６から離間させたとき外筒１と可動軸２とを軸方向に相対移動させて全長を伸縮させることができ、受座６と保持具７の嵌合時には外筒１と可動軸２の相対移動が規制されるようになっている。
【００１４】
特に、受座６と保持具７の嵌合時には、テーパ穴７Ｂの全周のうちで可動軸２の中心に最も近い部分がテーパ部６Ａに接触し、そのテーパ部６Ａとテーパ穴７Ｂとが相対的に偏心してテーパ部６Ａがテーパ穴７Ｂに内接する一方、テーパ部６Ａとテーパ穴７Ｂとの非接触側（実際には保持具７が傾いてテーパ穴７Ｂの全周がテーパ部６Ａに接触する場合もあるが、上記の非接触側とはテーパ穴７Ｂの周面のうち穴７Ａの中心から最も遠い部分を指す）で穴７Ａが可動軸２を半径方向に加圧し、これによってテーパ部６Ａとテーパ穴７Ｂとの接触側で可動軸２の外面部２Ａが外筒１の内壁１Ａに圧接するようにしてある。よって、可動軸２は上方から軸力を受けても下方にずり落ちず、保持具７から与えられる半径方向の作用力により定位置に保持される。
【００１５】
尚、係るロック手段５によれば、保持具７を持ち上げるだけで外筒１内への可動軸２の押し込みが可能となり、全長を伸長させる際には可動軸２を手で持ち上げれば、その作用力によって保持具７が浮上するため、保持具７に触れる事なく可動軸２を外筒１から順次繰り出すことができ、しかもその繰り出しを停止した時点で保持具７がその自重によって直ぐさま受座６に嵌合して可動軸２を外筒１に対して固定するため、伸縮操作を容易かつ迅速に行うことができる。
【００１６】
以上、本発明の好適な一例を説明したが、係る伸縮棒は果樹の枝受け支柱としてだけでなく、そのほか枝打ちするためのノコギリの柄、果実など高所の物品を取るための竿、又は家具の倒伏を防止するための突張り棒など数多くの用途がある。　一方、係る伸縮棒は外筒１と此れに挿入する可動軸２との二段構造に限らず、可動軸２の内側にそれより小径な別の可動軸を挿入して多段状と成し、その各可動軸の間にそれぞれロック手段を設けるようにしてもよい。
【００１７】
又、ロック手段の構造は上記例に限らず、図７〜図９のような構造に変更することもできる。ここで、図７のロック手段１５は、外周にテーパ部１６Ａを形成する受座１６を外筒１の一端外周部に偏心状に固設した例である。尚、本例において、保持具１７は受座１６のテーパ部１６Ａを受け入れるテーパ穴１７Ｂが可動軸２を通す穴１７Ａと同心状に形成される。そして、係るロック手段１５によれば、受座１６と保持具１７の嵌合時において、テーパ部１６Ａの全周のうちで外筒１の中心から最も遠い部分にテーパ穴１７Ｂが接触し、そのテーパ部１６Ａとテーパ穴１７Ｂとが相対的に偏心してテーパ部１６Ａがテーパ穴１７Ｂに内接する一方、テーパ部１６Ａとテーパ穴１７Ｂとの非接触側で穴１７Ａが可動軸２を半径方向に加圧し、これによってテーパ部１６Ａとテーパ穴１７Ｂとの接触側で可動軸２の外面部２Ａが外筒１の内壁１Ａに圧接するようにしてある。よって、このロック手段１５でも可動軸２を保持具１７による半径方向の作用力によって定位置に保持することができる。
【００１８】
次に、図８はロック手段２５として、外筒１の一端外周部に固設される受座２６にテーパ穴２６Ａを同心状に形成し、可動軸２に設けられる移動自在な保持具２７の外周にテーパ部２７Ｂを形成した例である。尚、本例では保持具２７のテーパ部２７Ｂが可動軸２を通す穴２７Ａに対して偏心されている。そして、係るロック手段２５によれば、受座２６と保持具２７の嵌合時において、テーパ部２７Ｂの全周のうちで可動軸２の中心から最も遠い部分がテーパ穴２６Ａに接触し、そのテーパ部２７Ｂとテーパ穴２６Ａとが相対的に偏心してテーパ部２７Ｂがテーパ穴２６Ａに内接する一方、テーパ部２７Ｂとテーパ穴２６Ａとの接触側で穴２７Ａが可動軸２を半径方向に加圧し、これによってテーパ部２７Ｂとテーパ穴２６Ａとの非接触側で可動軸２の外面部２Ａが外筒１の内壁１Ａに圧接するようにしてある。よって、このロック手段２５でも可動軸２を保持具２７による半径方向の作用力によって定位置に保持することができる。
【００１９】
又、図９のロック手段３５は、外筒１と別体に形成される受座を省略し、外筒１の一端外周部に保持具３７が直に嵌合するようにした例である。尚、本例の保持具３７も可動軸２を通す穴３７Ａに対し、外筒１の一端外周部に嵌合するテーパ穴３７Ｂが偏心状に形成される。そして、係るロック手段３５によれば、外筒１の一端外周部に保持具３７を嵌合させたとき、テーパ穴３７Ｂの全周のうちで可動軸２の中心に最も近い部分が外筒１の一端外周部に接触し、そのテーパ穴３７Ｂと外筒１とが相対的に偏心して外筒１の一端がテーパ穴３７Ｂに内接する一方、テーパ穴３７Ｂと外筒１との非接触側で穴３７Ａが可動軸２を半径方向に加圧し、これによってテーパ穴３７Ｂと外筒１との接触側で可動軸２の外面部２Ａが外筒１の内壁１Ａに圧接するようにしてある。よって、このロック手段３５でも可動軸２を保持具３７による半径方向の作用力によって定位置に保持することができる。
【００２０】
【発明の効果】
以上の説明で明らかなように、本発明によれば外筒とその内側に挿入される可動軸を有し、その可動軸に軸方向へ移動可能な保持具が設けられ、その保持具と外筒の一端外周部、又は外筒の外周部に固設される受座との嵌合により、外筒と可動軸の軸方向への相対移動が規制されるようにしていることから、使用場所によって長さを自由に調整でき、その伸縮操作も容易に行え得る。
【００２１】
特に、ロック手段は保持具だけで足り、多くても保持具とこれに嵌合する受座とで構成されることから、簡易構造にして生産コストを大幅に低減することができる。
【００２２】
又、受座と保持具の何れか一方が外周にテーパ部を有すると共に他方にはテーパ部を受け入れるテーパ穴が形成され、そのテーパ部とテーパ穴とが相対的に偏心してテーパ部がテーパ穴に内接するようにしていることから、受座と保持具の嵌脱に大きな操作力が要らず、しかも可動軸を定位置に保ったままこれを回転させることができる。
【図面の簡単な説明】
【図１】本発明に係る伸縮棒の使用例を示した概略図
【図２】同伸縮棒の部分断面図
【図３】受座を拡大して示した平面図
【図４】図３におけるＸ−Ｘ線断面図
【図５】保持具を拡大して示した底面図
【図６】図におけるＸ−Ｘ線断面図
【図７】ロック手段の変更例を示した部分断面図
【図８】ロック手段の変更例を示した部分断面図
【図９】ロック手段の変更例を示した部分断面図
【図１０】従来の伸縮棒を示す部分断面図
【図１１】図１０のＸ−Ｘ線における断面概略図
【符号の説明】
１　外筒
２　可動軸
５，１５，２５，３５　ロック手段
６，１６，２６　受座
６Ａ，１６Ａ，２７Ｂ　テーパ部
７，１７，２７，３７　保持具
７Ｂ，１７Ｂ，２６Ａ，３７Ｂ　テーパ穴
【図１】
2004019775.tif 000003
【図２】
2004019775.tif 000004
【図３】
2004019775.tif 000005
【図４】
2004019775.tif 000006
【図５】
2004019775.tif 000007
【図６】
2004019775.tif 000008
【図７】
2004019775.tif 000009
【図８】
2004019775.tif 000010
【図９】
2004019775.tif 000011
【図１０】
2004019775.tif 000012
【図１１】
2004019775.tif 000013